(57)【要約】【課題】取扱いが容易な陳列装置を提供する。【解決手段】陳列装置１０は、一方の面３１ｃに陳列部２０が設けられた本体部３１と、本体部３１に接続された第１側部片４１と、第１側部片４１に接続された第１カバー片４２と、を有する第１開閉部４０と、本体部３１に接続された第２側部片５１と、第２側部片５１に接続された第２カバー片５２と、を有する第２開閉部５０と、第１開閉部４０及び第２開閉部５０が本体部３１に対して回転しないようにロックするロック部とを備え、第１開閉部４０及び第２開閉部５０が本体部３１の一方の面の側に回転され、ロック部が第１カバー片４２をロックすることにより、折り畳み状態の陳列部２０を収容し、第１開閉部４０及び第２開閉部５０が本体部３１の他方の面の側に回転され、ロック部が第１カバー片４２をロックすることにより、陳列状態の陳列部２０を露出させる。【選択図】図１
2015146978.tif 000002
【特許請求の範囲】
【請求項１】
折り畳み状態及び陳列状態の間で変形する陳列部と、
一方の面に前記陳列部が設けられた本体部と、
前記本体部の一方の対向辺に対して回転可能に接続され折り畳み状態の前記陳列部を収容可能な長さを有する第１側部片と、前記第１側部片に対して回転可能に接続された第１カバー片と、を有する第１開閉部と、
前記本体部の他方の対向辺に対して回転可能に接続され折り畳み状態の前記陳列部を収容可能な長さを有する第２側部片と、前記第２側部片に対して回転可能に接続された第２カバー片と、を有する第２開閉部と、
前記第１開閉部及び前記第２開閉部の間が係合することにより、前記第１開閉部及び前記第２開閉部が前記本体部に対して回転しないようにロックするロック部とを備え、
前記第１開閉部及び前記第２開閉部が前記本体部の一方の面の側に回転され、前記ロック部がロックすることにより、折り畳み状態の前記陳列部を収容し、
前記第１開閉部及び前記第２開閉部が前記本体部の他方の面の側に回転され、前記ロック部がロックすることにより、陳列状態の前記陳列部を露出させること、
を特徴とする陳列装置。
【請求項２】
請求項１に記載の陳列装置において、
前記ロック部は、
前記第１カバー片に設けられ、長手方向が前記第１開閉部の開閉方向に平行であるスリットと、
前記第２カバー片に設けられ、前記スリットに挿入される挿入片とを備えること、
を特徴とする陳列装置。
【請求項３】
請求項１又は請求項２に記載の陳列装置において、
前記陳列部及び前記本体部の少なくとも１つに取り付けられ、露出状態において、この陳列装置を設置壁に吊る吊り紐を備えること、
を特徴とする陳列装置。
【請求項４】
請求項１から請求項３のいずれかに記載の陳列装置において、
前記ロック部は、前記他方の対向辺側の２つの領域にそれぞれ設けられていること、
を特徴とする陳列装置。
【請求項５】
請求項１から請求項４のいずれかに記載の陳列装置において、
前記第１開閉部は、前記一方の対向辺の両辺に２つ設けられており、
２つの前記第１カバー片は、閉じた状態で重なること、
を特徴とする陳列装置。
【請求項６】
陳列物を陳列し、根元部に係合爪を有し、開状態及び閉状態の間で変形するフックと、
前記フックの前記係合爪に係合する係合孔を有し、前記フックが取り付けられる取り付け板と、
前記取り付け板に積層され、前記係合爪の逃げを有するスペーサと、
一方の面側に前記スペーサが取り付けられた本体部と、前記本体部の周囲に接続された開閉片とを有し、前記開閉片の開閉方向を前記一方の面側に閉じることにより開状態のフックを露出する露出状態に変形し、前記開閉片の開閉方向を他方の面側に閉じることにより閉状態の前記フックを収容する収容状態に変形する箱体と、
を備える陳列装置。
【発明の詳細な説明】
【技術分野】
【０００１】
本発明は、陳列物を陳列する陳列装置に関するものである。
【背景技術】
【０００２】
従来、輸送時等に折り畳んだ状態とし、陳列時に組み立てる陳列台があった（例えば特許文献１）。
しかし、従来の陳列台は、折り畳んだ状態において、板材が開いてしまう可能性があり、取り扱いが悪かった。
【先行技術文献】
【特許文献】
【０００３】
【特許文献１】特開２０１１−８３４６８号公報
【発明の概要】
【発明が解決しようとする課題】
【０００４】
本発明の課題は、取扱いが容易な陳列装置を提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、折り畳み状態及び陳列状態の間で変形する陳列部（２０，２２０）と、一方の面（３１ｃ）に前記陳列部が設けられた本体部（３１）と、前記本体部の一方の対向辺に対して回転可能に接続され折り畳み状態の前記陳列部を収容可能な長さを有する第１側部片（４１）と、前記第１側部片に対して回転可能に接続された第１カバー片（４２）と、を有する第１開閉部（４０）と、前記本体部の他方の対向辺に対して回転可能に接続され折り畳み状態の前記陳列部を収容可能な長さを有する第２側部片（５１）と、前記第２側部片に対して回転可能に接続された第２カバー片（５２）と、を有する第２開閉部（５０）と、前記第１開閉部及び前記第２開閉部の間が係合することにより、前記第１開閉部及び前記第２開閉部が前記本体部に対して回転しないようにロックするロック部（４３，５３）とを備え、前記第１開閉部及び前記第２開閉部が前記本体部の一方の面の側に回転され、前記ロック部がロックすることにより、折り畳み状態の前記陳列部を収容し、前記第１開閉部及び前記第２開閉部が前記本体部の他方の面の側に回転され、前記ロック部がロックすることにより、陳列状態の前記陳列部を露出させること、を特徴とする陳列装置である。
・第２の発明は、第１の発明の陳列装置において、前記ロック部は、前記第１カバー片（４２）に設けられ、長手方向が前記第１開閉部（４０）の開閉方向に平行であるスリット（４３）と、前記第２カバー片（５２）に設けられ、前記スリットに挿入される挿入片（５３）とを備えること、を特徴とする陳列装置である。
・第３の発明は、第１又は第２の発明の陳列装置において、前記陳列部（２０，２２０）及び前記本体部（３１）の少なくとも１つに取り付けられ、露出状態において、この陳列装置を設置壁に吊る吊り紐（７０）を備えること、を特徴とする陳列装置である。
・第４の発明は、第１から第３のいずれかの発明の陳列装置において、前記ロック部（４３，５３）は、前記他方の対向辺側の２つの領域にそれぞれ設けられていること、を特徴とする陳列装置である。
・第５の発明は、第１から第４のいずれかの発明の陳列装置において、前記第１開閉部（４０）は、前記一方の対向辺の両辺に２つ設けられており、２つの前記第１カバー片（４２）は、閉じた状態で重なること、を特徴とする陳列装置である。
・第６の発明は、陳列物を陳列し、根元部（２１ａ）に係合爪（２１ｃ，２１ｄ）を有し、開状態及び閉状態の間で変形するフック（２１）と、前記フックの前記係合爪に係合する係合孔（２２ａ）を有し、前記フックが取り付けられる取り付け板（２２）と、前記取り付け板に積層され、前記係合爪の逃げ（２３ａ）を有するスペーサ（２３）と、一方の面側に前記スペーサが取り付けられた本体部（３１）と、前記本体部の周囲に接続された開閉片（４０，５０）とを有し、前記開閉片の開閉方向を前記一方の面側に閉じることにより開状態のフックを露出する露出状態に変形し、前記開閉片の開閉方向を他方の面側に閉じることにより閉状態の前記フックを収容する収容状態に変形する箱体（３０）と、を備える陳列装置である。
【発明の効果】
【０００７】
本発明によれば、取扱いが容易な陳列装置を提供できる。
【図面の簡単な説明】
【０００８】
【図１】第１実施形態の陳列装置１０の露出状態の斜視図である。
【図２】第１実施形態の陳列装置１０の収容状態の斜視図である。
【図３】第１実施形態の陳列装置１０の上部の縦断面図である。
【図４】第１実施形態のフック２１の取り付け構造を説明する三面図である。
【図５】第１実施形態の取り付け板２２と、スペーサ２３と、展開した箱体３０とを示す図である。
【図６】第１実施形態の陳列装置１０を展開した状態から、組み立てる工程を説明する斜視図である。
【図７】第１実施形態の陳列装置１０を、収容状態で積層する態様を説明する一部断面図である。
【図８】第２実施形態の陳列装置２１０の斜視図である。
【図９】第２実施形態の陳列装置２１０の組み立て工程を説明する図である。
【図１０】第２実施形態の陳列装置２１０の組み立て工程を説明する図である。
【図１１】第２実施形態の陳列装置２１０の組み立て工程を説明する図である。
【発明を実施するための形態】
【０００９】
（実施形態）
以下、図面等を参照して、本発明の実施形態について説明する。
（第１実施形態）
図１は、第１実施形態の陳列装置１０の露出状態の斜視図である。
図１（Ａ）は、手前側Ｙ１から見た斜視図である。
図１（Ｂ）は、奥側Ｙ２から見た斜視図である。
図２は、第１実施形態の陳列装置１０の収容状態の斜視図である。
図２（Ａ）は、手前側Ｙ１から見た斜視図である。
図２（Ｂ）は、奥側Ｙ２から見た斜視図である。
図３は、第１実施形態の陳列装置１０の上部の縦断面図である。
図４は、第１実施形態のフック２１の取り付け構造を説明する三面図である。
図４（Ａ）は、フック２１を取り付ける前の係合孔２２ａを手前側Ｙ１から見た図である。
図４（Ｂ）は、フック２１の取り付け構造を手前側Ｙ１から見た図である。
図４（Ｃ）は、フック２１の取り付け構造の縦断面図（図４（Ｂ）の４Ｃ−４Ｃ部断面図）である。
図４（Ｄ）は、フック２１の取り付け構造の横断面図（図４（Ｂ）の４Ｄ−４Ｄ部断面図）である。
図５は、第１実施形態の取り付け板２２と、スペーサ２３と、展開した箱体３０とを示す図である。
【００１０】
実施形態、図面では、説明と理解を容易にするために、ＸＹＺ直交座標系を設けた。この座標系は、図１（Ａ）の状態を基準に陳列装置１０の縦方向Ｚ、左右方向Ｘ、厚さ方向Ｙを表す。
【００１１】
図１に示すように、陳列装置１０は、箱状の装置である。
陳列装置１０は、露出状態において、店舗等の壁１（設置壁）に吊り下げて、フック２１に商品（陳列物）を吊り下げて陳列する装置である。陳列装置１０が吊り下げられた状態において、陳列装置１０の縦方向Ｚは、鉛直方向に平行である。
図２に示すように、陳列装置１０は、収容状態において、陳列部２０を収容できる。陳列装置１０は、収容状態において、保管、運搬されたりして、流通経路に乗せられる。
【００１２】
図３に示すように、陳列装置１０は、陳列部２０、箱体３０、吊り紐７０を備える。
陳列部２０は、箱体３０の本体部３１（後述する）に設けられている。
陳列部２０は、フック２１、取り付け板２２、スペーサ２３を備える。
フック２１は、左右方向Ｘに２列、縦方向Ｚに３列、合計６つ設けられている（図１（Ａ）参照）。
フック２１は、実際に、陳列物を陳列するための部材である。
フック２１は、軸体２１ｂ、上係合爪２１ｃ、下係合爪２１ｄを備える。
軸体２１ｂは、フック２１の根元部２１ａに、開状態及び閉状態の間で回転可能に設けられている（矢印Ａ１参照）。
【００１３】
開状態は、軸体２１ｂの軸方向が厚さ方向Ｙに平行に配置された状態である。フック２１の開状態は、ロック機能（図示せず）により、安定して維持される。実施形態では、陳列部２０の陳列状態とは、フック２１が開状態の状態をいう。
閉状態は、軸体２１ｂが取り付け板２２側に倒されて、軸体２１ｂの軸方向が縦方向Ｚに平行に配置された状態である。実施形態では、陳列部２０の折り畳み状態は、フック２１が閉状態の状態をいう。
上係合爪２１ｃ、下係合爪２１ｄは、フック２１を取り付け板２２に取り付けるための部分である。上係合爪２１ｃ、下係合爪２１ｄは、根元部２１ａに設けられている。
【００１４】
取り付け板２２、スペーサ２３は、箱体３０の本体部３１に手前側Ｙ１からこの順に積層されている。取り付け板２２、スペーサ２３は、例えば紙の板材である。左右方向Ｘ及び縦方向Ｚにおいて、取り付け板２２及びスペーサ２３の大きさは、等しく、また、本体部３１の外形よりも一回り（例えば数ｍｍ程度）小さい（図１（Ａ）参照）。これは、取り付け板２２及びスペーサ２３を箱体３０の内部に収容できるようにするためである。
取り付け板２２は、フック２１を取り付けるための板材である。
取り付け板２２は、係合孔２２ａ、紐通し孔２２ｂを有する。
係合孔２２ａは、フック２１の取り係合爪２１ｃ，２１ｄに係合するための開口孔である。係合孔２２ａは、フック２１の取り付け位置に対応した位置に配置されており、６か所設けられている（図５参照）。
【００１５】
図４に示すように、左右方向Ｘ及び縦方向Ｚにおいて、係合孔２２ａの大きさと、フック２１の根元部２１ａの外形の大きさとは、等しい（長さＬ２２ａＸ，Ｌ２２ａＺ参照）。これにより、係合孔２２ａは、フック２１の根元部２１ａが挿入されることにより、左右方向Ｘ及び縦方向Ｚにおいて、フック２１を位置決めする。
図３に示すように、紐通し孔２２ｂは、吊り紐７０を通すための孔である。紐通し孔２２ｂは、取り付け板２２の上側Ｚ２の領域に設けられている。
【００１６】
スペーサ２３は、逃げ孔２３ａ、切り欠き２３ｂを有する。
逃げ孔２３ａは、厚さ方向Ｙにおいて、係合爪２１ｃ，２１ｄによる厚みを逃げるための孔である。
なお、スペーサ２３の厚みは、係合爪２１ｃ，２１ｄが本体部３１に干渉しないように設定されている。スペーサ２３は、複数枚重ねたり、１枚の紙材を折り畳むことにより、必要な厚みになるようにしてもよい。
切り欠き２３ｂは、取り付け板２２の紐通し孔２２ｂに通された吊り紐７０を、さらに、上側Ｚ２に通す部分である。切り欠き２３ｂは、紐通し孔２２ｂに対応した領域に設けられている。
【００１７】
フック２１の取り付け方法は、フック２１の上係合爪２１ｃを取り付け板２２の係合孔２２ａの上部に引っ掛けてから、フック２１を回転させて下係合爪２１ｄを撓ませながら、下係合爪２１ｄを係合孔２２ａの下部に引っ掛ける。これに応じて、フック２１の根元部２１ａと、上係合爪２１ｃ及び下係合爪２１ｄとは、取り付け板２２を挟み込む。これにより、フック２１は、厚さ方向Ｙにおいて位置決めされる。また、前述した通り、フック２１は、左右方向Ｘ及び縦方向Ｚにおいて位置決めされる。
なお、上係合爪２１ｃには、軸体２１ｂに商品を吊り下げた場合に、下係合爪２１ｄよりも大きな力が加わる。このため、上係合爪２１ｃは、下係合爪２１ｄよりも縦方向Ｚの長さが長く形成され、係合孔２２ａから脱落しないようになっている。
【００１８】
箱体３０は、陳列部２０の陳列、収容に用いる箱である。
図５（Ｃ）に示すように、箱体３０は、いわゆる奴式（又はたとう式）と称される厚さの薄い箱である。つまり、箱体３０は、本体部３１の周囲４辺に対して、開閉片である２つの第１開閉部４０及び２つの第２開閉部５０が接続された形態である。箱体３０は、１枚の段ボール等によって形成される。
本体部３１の外形は、縦方向Ｚに細長い長方形である。
本体部３１の一方の面３１ｃには、陳列部２０が設けられる。
【００１９】
第１開閉部４０は、第１側部片４１、第１カバー片４２、スリット４３を備える。
第１側部片４１は、本体部３１の縦方向Ｚに平行な２つの長辺部３１ａ（本体片の一方の対向辺）に対して、ヒンジによって左右方向Ｘに回転可能に接続されている。なお、各ヒンジは、段ボールに押し罫、ハーフカット、ミシン目等を加工することにより設けられる。図５では、この押し罫等を二点鎖線で図示する。
第１側部片４１の高さＬ４１は、折り畳み状態の陳列部２０の厚みよりも大きい。
【００２０】
第１カバー片４２は、第１側部片４１に対して、ヒンジによって左右方向Ｘに回転可能に接続されている。
左右の２つの第１カバー片４２は、閉じた状態で重なるような長さである（図２（Ａ）参照）。このため、陳列装置１０が収容状態の形態では、陳列部２０が露出しない。これにより、陳列装置１０は、陳列部２０をより確実に保護できる。
スリット４３は、第１カバー片４２の上下にそれぞれ設けられ、また、箱体３０が組み立てられた状態において、第１カバー片４２の外側に形成されている。
スリット４３は、第１カバー片４２に設けられた細長い穴である。スリット４３の長手方向は、左右方向Ｘ（第１開閉部４０の開閉方向）に平行である。スリット４３の一部は、湾曲している。これにより、挿入された挿入片５３は、より確実に保持される。なお、図５以外の図面では、この湾曲部の図示を省略した。
【００２１】
第２開閉部５０は、第２側部片５１、第２カバー片５２、挿入片５３を備える。
第２側部片５１は、本体部３１の左右方向Ｘに平行な２つの短辺部３１ｂ（本体片の他方の対向辺）に対して、ヒンジによって縦方向Ｚに回転可能に接続されている。
第２側部片５１の高さＬ５１は、折り畳み状態の陳列部２０の厚みよりも大きい。
第２カバー片５２は、第２側部片５１に対して、ヒンジによって縦方向Ｚに回転可能に接続されている。
挿入片５３は、第２カバー片５２に対して、ヒンジによって縦方向Ｚに回転可能に接続されている。挿入片５３は、スリット４３に対応した位置に配置されている。つまり、挿入片５３は、第２カバー片５２の上下にそれぞれ設けられており、また、箱体３０が組み立てられた状態において、第２カバー片５２の外側領域に形成されている。
また、収容状態において、挿入片５３は、陳列部２０に干渉しない領域、長さに設定されている（図７（Ａ）参照）。
左右方向Ｘにおいて、挿入片５３の長さと、スリット４３の長さとは、等しい。
【００２２】
後述するように、上記スリット４３及び挿入片５３は、第１開閉部４０及び第２開閉部５０が本体部３１に対して回転しないようにロックするロック部を形成する。
ロック部は、上下の長辺部３１ａ側（他方の対向辺側）の２つの領域にそれぞれ設けられている。
【００２３】
図１、図３に示すように、吊り紐７０は、露出状態の陳列装置１０を、壁１のフック２等に吊るための部材である。吊り紐７０は、陳列部２０の取り付け板２２に取り付けられている。このため、陳列された商品の重量は、取り付け板２２を介して吊り紐７０に作用する。つまり、この荷重は、箱体３０を介することなく、吊り紐７０に対して、より直接的に作用する。
これにより、陳列装置１０は、より確実に安定して商品を陳列できる。
なお、吊り紐７０は、取り付け板２２、スペーサ２３及び本体部３１の少なくとも１つに取り付ければよい。これらの形態は、第１開閉部４０、第２開閉部５０等を吊り紐７０で吊るす場合に比べると、陳列部２０の商品の重量がより直接的に作用するからである。スペーサ２３又は本体部３１に吊り紐７０を取り付ける場合には、スペーサ２３又は本体部３１に孔を設けて吊り紐７０を通せばよい。
【００２４】
（陳列装置１０の組み立て）
陳列装置１０の組み立て工程について説明する。
図６は、第１実施形態の陳列装置１０を展開した状態から、組み立てる工程を説明する斜視図である。
作業者は、以下の工程に従って、陳列装置１０を組み立てることができる。
最初に、各部材単体の状態から、収容状態の陳列装置１０を組み立てる工程を説明する。
（１）図５に示すように、取り付け板２２に吊り紐７０を通す。
（２）取り付け板２２にフック２１を取り付ける。フック２１を取り付け後には、フック２１を閉状態に変形させる。
（３）取り付け板２２及びスペーサ２３を、接着材、両面テープ等で接着する。
（４）スペーサ２３及び箱体３０の本体部３１を、接着材、両面テープ等で接着する。
【００２５】
これにより、陳列装置１０は、図６に示す状態に形成される。この状態から、収容状態にするには、以下の工程に従う。
（５）第１開閉部４０を本体部３１の陳列部２０側（一方の面の側）に回転して閉じる。
（６）第２開閉部５０を本体部３１の陳列部２０側に回転する。
（７）挿入片５３をスリット４３に挿入して、第１開閉部４０及び第２開閉部５０の間を係合することにより、第１開閉部４０及び第２開閉部５０が本体部３１に対して回転しないようにロックする。
【００２６】
図２に示すように、これにより、箱体３０は、折り畳み状態の陳列部２０を収容した状態になる。つまり、陳列装置１０は、収容状態に組み立てられる。
陳列装置１０は、収容状態では、以下の作用、効果を奏する。
・前述したように、第１側部片４１及び第２側部片５１の高さは、折り畳み状態の陳列部２０の厚みよりも大きく、陳列部２０を収容可能な長さである。また、挿入片５３は、陳列部２０と干渉しない。このため、収容状態では、陳列部２０及び箱体３０が干渉することはない。
・運搬する場合には、箱状であり、かつ、第１開閉部４０及び第２開閉部５０が陳列装置１０の上下の領域でロックされている。このため、配送伝票等を直接貼付して、そのまま運搬できる。そのため、袋、包装用紙等の梱包材が不要である。
・厚みが薄く形成できる。また、手前側Ｙ１の面に、第２カバー片５２が重なっているのみで、全面がほぼフラットである。さらに、フック２１の係合爪２１ｃ，２１ｄ等が外部に突出しない。つまり、他の物に引っかかるような突出した部分がない。このため、保管、運搬時等の取扱いが容易である。
【００２７】
店舗等において、収容状態から露出状態にするには、以下の工程に従う。
（１１）挿入片５３をスリット４３から抜く。
（１２）第１開閉部４０を本体部３１の陳列部２０とは反対側（他方の面の側）に回転して閉じる。
（１３）第２開閉部５０を本体部３１の陳列部２０とは反対側に回転して閉じる。
（１４）挿入片５３をスリット４３に挿入して、第１開閉部４０及び第２開閉部５０間を係合することにより、第１開閉部４０及び第２開閉部５０が本体部３１に対して回転しないようにロックする。
（１５）フック２１を開いて開状態とし、陳列部２０を陳列状態に変形する。
図１に示すように、以上により、陳列装置１０は、陳列部２０を露出して露出状態に形成される。
その後、店舗等の従業員（作業者）は、陳列装置１０は、店舗等の壁１に吊り下げる。
【００２８】
陳列装置１０は、露出状態では、以下の作用、効果を奏する。
・店舗等において、収容状態の陳列装置１０を露出状態へと、容易に変形作業できるので、容易に組み立てることができる。
・流通から店舗等での組み立てに至るに渡って廃棄物が発生しない（又はほとんどで発生しない）ので、店舗等での利便性がよく、また、環境負荷が小さい。
・フック２１の係合爪２１ｃ，２１ｄが取り付け板２２に係合しているので、フック２１は、例えば接着材等を用いて取り付けるよりも、取り付け板２２から脱落しにくい。このため、フック２１の耐荷重を向上できる。
このように、フック２１は、収容状態では外部に突出せず、かつ、露出状態では脱落しないように、取り付けできる。
・陳列装置１０及び壁１は、主に接触部分５２ａで接触する（図３参照）。この接触部分５２ａの面積は、小さい。このため、壁１の損傷を抑制できる。
【００２９】
陳列装置１０の強度について説明する。
図７は、第１実施形態の陳列装置１０を、収容状態で積層する態様を説明する一部断面図である。
図７は、陳列装置１０の厚さ方向Ｙが鉛直方向になるように、複数の陳列装置１０を積層した状態である。
収容状態において、第２開閉部５０（第２側部片５１、第２カバー片５２）の回転方向は、左右方向Ｘに平行である。また、前述したように、左右方向Ｘにおいて、挿入片５３の長さと、スリット４３の長さとは、等しい。
【００３０】
図７（Ａ）に示すように、このため、挿入片５３がスリット４３に挿入された状態では、第１開閉片が左右方向Ｘに移動しないように規制される（矢印Ａ２参照）。このため、第１側部片４１が本体部３１に対して回転移動しないように規制される（回転方向θ２参照）。これにより、第１側部片４１は、陳列装置１０に手前側Ｙ１からかかる荷重を、倒れることなく受け止めることができる。
図７（Ｂ）に示すように、同様に、この状態では、第２カバー片５２が縦方向Ｚに移動しないように規制される（矢印Ａ３参照）。このため、第２側部片５１が本体部３１に対して回転移動しないように規制される（回転方向θ３参照）。そのため、第２側部片５１は、陳列装置１０に手前側Ｙ１からかかる荷重を、倒れることなく受け止めることができる。
【００３１】
このように、第１側部片４１及び第２側部片５１が存在する部分の強度は、強い。このため、保管、運搬時等に、陳列装置１０の上に積載物（例えば、複数の他の陳列装置１０、他の箱等）が積載されることにより、積層方向に荷重が加わる場合でも、これらの部分が積極的にこの荷重を受け止める。これにより、陳列装置１０は、潰れを抑制できる。
【００３２】
さらに、厚さ方向Ｙにおいて、最も厚さが大きい部分は、強度が強い第２カバー片５２が存在する（接触部分５２ａ参照）。また、ロック部（スリット４３及び挿入片５３）は、上下の長辺部３１ａの両側の領域（他方の対向辺側の２つの領域）にそれぞれ設けられている（図２等参照）。このため、陳列装置１０の上に積載物が積載される場合には、この接触部分５２ａが積載物の底面に積極的に接触するので、陳列装置１０の潰れ抑制効果を向上できる。
【００３３】
（第２実施形態）
次に、本発明の第２実施形態について説明する。
なお、以下の説明及び図面において、前述した第１実施形態と同様の機能を果たす部分には、同一の符号又は末尾（下２桁）に同一の符号を適宜付して、重複する説明を適宜省略する。
図８は、第２実施形態の陳列装置２１０の斜視図である。
図８（Ａ）は、陳列装置２１０が露出状態、陳列部２２０が陳列状態の図である。
図８（Ｂ）は、陳列装置２１０が露出状態、陳列部２２０が折り畳み状態の図である。
第２実施形態の箱体３０は、縦方向の長さのみ、第１実施形態とは異なる。また、陳列部２２０の形態が第１実施形態とは異なる。
陳列部２２０は、上下に配置された、折り畳み可能な２つの棚部２２１を備える。
【００３４】
以下、陳列部２２０について、主に説明する。
図９から図１１は、第２実施形態の陳列装置２１０の組み立て工程を説明する図である。
図９（Ａ）に示すように、陳列部２２０は、１枚の紙の板材から形成される。この展開図のうちハッチング部分は、孔である。
陳列部２２０は、棚部２２１、側板２２２、背板２２３、糊しろ２２４が、折り罫を介して接続されている。
【００３５】
作業者は、以下の工程に従って、陳列装置２１０を組み立てることができる。
（１）図９（Ａ）、図９（Ｂ）に示すように、側板２２２、背板２２３を奥側Ｙ２に折り曲げる（矢印Ａ２１参照）。
（２）図９（Ｂ）に示すように、背板２２３及び糊しろ２２４の間を接着する（矢印Ａ２２参照）。
（３）図９（Ｂ）、図１０に示すように、棚部２２１の底板２２１ａを手前側Ｙ１に折り曲げる（矢印Ａ２３参照）。
（４）図１０に示すように、吊り紐７０を、背板２２３の紐通し孔２２３ａに通す。
（５）背板２２３及び本体部３１の間を接着する（矢印Ａ２４参照）。
（６）側板２２２を内側に折り曲げる（矢印Ａ２５参照）。
以上の工程により、陳列部２２０が折り畳まれて折り畳み状態に組み立てられる（図８（Ｂ）参照）。
陳列装置２１０を収容状態にする場合には、開閉片である２つの第１開閉部４０及び２つの第２開閉部５０を、第１実施形態と同様に、陳列部２２０を内側にして閉じればよい。
【００３６】
店舗等において、収容状態から露出状態にするには、以下の工程に従う。
（１１）第１実施形態と同様に、第１開閉部４０及び第２開閉部５０を、陳列部２２０が露出するように変形する。
（１２）図８（Ｂ）の状態の側板２２２を外側に広げて、陳列部２２０を図１０と同じ状態に変形する。
（１３）図１１（Ａ）に示すように、棚部２２１の底板２２１ａを内側に折り曲げる（矢印Ａ２６参照）。
（１４）図１１（Ｂ）に示すように、棚部２２１の先端２２１ｂを、背板２２３のポケット２２３ｂに挿入して、棚部２２１の底板２２１ａを、水平な状態で保持する。
以上の工程により、図８（Ａ）に示すように、箱体３０が露出状態に変形され、陳列部２２０が陳列状態に組み立てられる。
【００３７】
以上説明したように、本実施形態の陳列装置２１０は、陳列部２２０に棚部２２１に設けることができ、また、陳列部２２０の構成を簡単にできる。
【００３８】
以上、本発明の実施形態について説明したが、本発明は前述した実施形態に限定されるものではなく、例えば、後述する変形形態等のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００３９】
（変形形態）
実施形態において、陳列装置は、壁に吊るされる例を示したが、これに限定されない。例えば、陳列装置は、壁に立て掛けて設置してもよい。この場合には、吊り紐が必要ないので、構成を簡単にできる。
【符号の説明】
【００４０】
１０，２１０…陳列装置    ２０，２２０…陳列部    ２１…フック    ２１ａ…根元部    ２１ｃ…上係合爪    ２１ｄ…下係合爪    ２２…取り付け板    ２２ａ…係合孔    ２３…スペーサ    ３０…箱体    ３１…本体部    ４０…第１開閉部    ４１…第１側部片    ４２…第１カバー片    ４３…スリット    ５０…第２開閉部    ５１…第２側部片    ５２…第２カバー片    ５３…挿入片    ７０…吊り紐
【図１】
2015146978.tif 000003
【図２】
2015146978.tif 000004
【図３】
2015146978.tif 000005
【図４】
2015146978.tif 000006
【図５】
2015146978.tif 000007
【図６】
2015146978.tif 000008
【図７】
2015146978.tif 000009
【図８】
2015146978.tif 000010
【図９】
2015146978.tif 000011
【図１０】
2015146978.tif 000012
【図１１】
2015146978.tif 000013